(57)【特許請求の範囲】
【請求項１】
挿入部を備える内視鏡と、
前記内視鏡の挿入部を覆うように配置される挿入部保護部材と、この挿入部保護部材の先端側に配置され、前記挿入部を挿通するための挿入部案内用透孔を有する挿入部導入部材と、この挿入部導入部材に設けられ、前記挿入部案内用透孔を観察対象に対向する位置に配置するための案内部と、を具備することを特徴とする内視鏡装置。
【請求項２】
前記挿入部導入部材は、前記挿入部保護部材から着脱可能であることを特徴とする請求項１に記載の内視鏡装置。
【請求項３】
前記挿入部導入部材は、前記観察対象と前記案内部との位置関係を所定の位置に設定する配置位置確認部を有することを特徴とする請求項１または２に記載の内視鏡装置。
【請求項４】
前記挿入部導入部材は、先端面を前記観察対象に密接させるための逃がし穴を有することを特徴とする請求項１乃至３のいずれか一に記載の内視鏡装置。
【請求項５】
前記案内部は、複数設けられることを特徴とする請求項１乃至４のいずれか一に記載の内視鏡装置。
【請求項６】
前記案内部は、形状が異なることを特徴とする請求項５に記載の内視鏡装置。
【請求項７】
内視鏡の挿入部を覆う被覆部と、この被覆部の先端側に配置され、前記挿入部を挿通するための挿入部案内用透孔を有する挿入部導入部と、この挿入部導入部に設けられ、前記挿入部案内用透孔を観察対象に対向する位置に配置するための案内部と、を具備することを特徴とする内視鏡用挿入部保護部材。
【請求項８】
前記挿入部導入部は、前記被覆部から着脱可能であることを特徴とする請求項７に記載の内視鏡用挿入部保護部材。
【請求項９】
前記挿入部導入部は、前記観察対象と前記案内部との位置関係を所定の位置に設定する配置位置確認部を有することを特徴とする請求項７または８に記載の内視鏡用挿入部保護部材。
【請求項１０】
前記挿入部導入部は、先端面を前記観察対象に密接させるための逃がし穴を有することを特徴とする請求項７乃至９のいずれか一に記載の内視鏡用挿入部保護部材。
【請求項１１】
前記案内部は、複数設けられることを特徴とする請求項７乃至１０のいずれか一に記載の内視鏡用挿入部保護部材。
【請求項１２】
前記案内部は、形状が異なることを特徴とする請求項１１に記載の内視鏡用挿入部保護部材。
【発明の詳細な説明】
【０００１】
【発明の属する技術分野】
本発明は、挿入部を保護するとともに、観察対象部位への導入性を良好とした内視鏡装置及び内視鏡用挿入部保護部材に関する。
【０００２】
【従来の技術】
従来より、細長の挿入部を体腔内に挿入することにより、体腔内臓器などを観察したり、必要に応じて処置具チャンネル内に挿通した処置具を用いて各種治療処置を行える医療用の内視鏡が広く利用されている。また、工業分野等においても、ボイラ，ガスタービンエンジン，化学プラントなどの内部の傷や腐蝕などを観察したり検査するため工業用内視鏡が広く利用されている。
【０００３】
前記内視鏡には挿入部が軟性で屈曲した体腔内や管内に挿通させて観察対象部位を観察するものと、挿入部が硬性で観察対象部位に向けて直線的に挿入して観察するものとがある。
【０００４】
近年、挿入部が硬性で細径な内視鏡（以下硬性鏡と記載する）は、鋳物の製造時や生産ライン等において、幅狭な溝や細径穴に挿入可能であるため、バリや傷の有無を検査する検査手段として使用されている。また、錠前に設けられている鍵穴に挿入して、シリンダ内周面の傷の有無を検査したいという要望等もある。
【０００５】
しかし、観察対象である溝幅や穴径或いは隙間部の寸法が極めて小さいものでは、硬性鏡の挿入部の外形寸法もこれら観察対象部位に合わせて極細径になる。そして、極細径に挿入部を構成することにより、挿入中又は観察中に挿入部が観察対象の周囲に接触したり、当接したとき、挿入部が折れたり、曲がったりして、硬性鏡の使用が不能になるという問題があった。
【０００６】
この問題を解消するため、挿入部に対してパイプ形状の保護管を同心的に配置して検査を行うようにしていたが、挿入部が保護管の内周面に接触することによって上述と同様な不具合が発生することがあった。この不具合を解消する目的で実開昭５５−１２８００７号公報には挿入部と保護管とが接触したとき作動する異常警報装置を備えた工業用硬性内視鏡が示されている。
【０００７】
【発明が解決しようとする課題】
しかしながら、前記実開昭５５−１２８００７号公報に示されている工業用硬性内視鏡では、保護管を装着した状態で検査を行うため、たとえ挿入部の径寸法が観察対象よりも小さな場合であっても保護管が観察対象より大きいことにより検査を行えなくなってしまう。
【０００８】
このため、細径な挿入部を有する硬性鏡で検査を行う際には、熟練者が検査を担当して、直接、細径の挿入部を観察対象部位に挿入して慎重に検査を行うようにしていた。
【０００９】
本発明は、これらの事情に鑑みてなされたものであり、熟練技術を要することなく、内視鏡挿入部を観察対象部位に導いて検査を行えるとともに、取り扱いが容易であり、検査性に優れ、しかも挿入部の変形や折れを確実に防止できるようにした内視鏡装置及び内視鏡用挿入部保護部材を提供することを目的とする。
【００１０】
【課題を解決するための手段】
本発明による内視鏡装置は、挿入部を備える内視鏡と、前記内視鏡の挿入部を覆うように配置される挿入部保護部材と、この挿入部保護部材の先端側に配置され、前記挿入部を挿通するための挿入部案内用透孔を有する挿入部導入部材と、この挿入部導入部材に設けられ、前記挿入部案内用透孔を観察対象に対向する位置に配置するための案内部と、を具備することを特徴とし、前記挿入部導入部材は、前記挿入部保護部材から着脱可能であり、前記観察対象と前記案内部との位置関係を所定の位置に設定する配置位置確認部を有し、先端面を前記観察対象に密接させるための逃がし穴を有する。また、前記案内部は、複数設けられ、形状が異なることを特徴とする。
また、本発明による内視鏡用挿入部保護部材は、内視鏡の挿入部を覆う被覆部と、この被覆部の先端側に配置され、前記挿入部を挿通するための挿入部案内用透孔を有する挿入部導入部と、この挿入部導入部に設けられ、前記挿入部案内用透孔を観察対象に対向する位置に配置するための案内部とを具備することを特徴とし、前記挿入部導入部は、前記被覆部から着脱可能であり、前記観察対象と前記案内部との位置関係を所定の位置に設定する配置位置確認部を有し、先端面を前記観察対象に密接させるための逃がし穴を有する。また、前記案内部は、複数設けられ、形状が異なることを特徴とする。
【００１１】
この構成によれば、挿入部導入部材を配置することによって、観察対象部位に対して挿入部を容易に確実に導入でき、また細径で硬性な挿入部は挿入部保護部材によって覆われる。
【００１２】
【発明の実施の形態】
以下、図面を参照して本発明の実施の形態を説明する。
図１ないし図８は本発明の一実施形態に係り、図１は内視鏡装置の概略構成を説明する図、図２は挿入部保護部材の構成を説明する図、図３は挿入部導入部材を説明する図、図４はバッテリ型光源の硬性鏡への取付け構成を説明する図、図５は配置される挿入部とガイドピンとの関係を説明する図、図６は組み付け状態の内視鏡装置を示す図、図７は内視鏡装置の作用を説明する図、図８は挿入部導入部材の他の構成例を示す図である。
【００１３】
なお、図２（ａ）は基端部構成部材を示す説明図、図２（ｂ）は内視鏡固定部材を示す説明図、図２（ｃ）は基端部被覆部材を示す説明図、図２（ｄ）は先端部被覆部材を示す説明図、図２（ｅ）はコイルスプリングを示す図、図３（ａ）は挿入部導入部材の構成を説明する一部断面図、図３（ｂ）は挿入部導入部材の正面図、図７（ａ）は内視鏡装置を観察対象に配置した状態を示す図、図７（ｂ）は内視鏡装置によって観察対象部位を観察している状態を示す図、図７（ｃ）は内視鏡装置の挿入部が最大に突出した状態を示す図、図８（ａ）は挿入部導入部材の他の構成を説明する一部断面図、図８（ｂ）は挿入部導入部材の別の構成を説明する正面図、図８（ｃ）は挿入部導入部材のまた他の構成を説明する正面図、図８（ｄ）は挿入部導入部材のまた別の構成を説明する正面図である。
【００１４】
図１に示すように本実施形態の内視鏡装置１は、細長で硬性な挿入部２１を有し、この挿入部２１の基端に接眼部２２を備えた把持部２３を設けた硬性鏡２と、この硬性鏡２の把持部２３に設けたライトガイド口金２４に接続部３１を介して着脱自在に接続される略Ｔ字形状で光源であるランプ３２と乾電池或いは充電池等のバッテリ３３を内蔵したバッテリ型光源３と、前記挿入部２１を覆うように配置される挿入部保護部材４と、この挿入部保護部材４の先端部に着脱自在に配置される挿入部導入部材５とで構成されている。
【００１５】
なお、本実施形態の硬性鏡２は、前記挿入部２１の先端部側面に例えば前方側面を観察するための観察光学系と照明光学系とを配置した、前方側面の観察を行ういわゆる前方斜視型の硬性鏡である。また、符号６は前記挿入部導入部材５を前記挿入部保護部材４の先端部に固定するための固定用ネジであり、符号２５は前記挿入部保護部材４を硬性鏡２に着脱自在に固定するための雄ネジ部である。
【００１６】
図１及び図２に示すように前記挿入部保護部材４は、中央に把持部２３の先端部が配置される貫通孔４１ａを有して基端部を構成する例えば樹脂部材で形成された基端部構成部材４１と、前記把持部２３に形成されている雄ネジ部２５に螺合する雌ネジ部４２ａを形成した略パイプ形状でポリアセタール等の摺動性に優れた樹脂部材によって形成された内視鏡固定部材４２と、前記挿入部２１の基端部側が挿入配置される透孔４３ａを有し、基端部側に前記内視鏡固定部材４２を回動自在に配置する基端凹部４３ｂを形成した前記内視鏡固定部材４２と同様の樹脂部材で形成された基端部被覆部材４３と、この基端部被覆部材４３の透孔４３ａ内に摺動自在に配置され、前記挿入部２１の基端部側が挿入配置される透孔４４ａを有し、先端部に前記挿入部導入部材５を配置する先端凹部４４ｂを形成したステンレス等の剛性を有する金属部材で形成された先端部被覆部材４４と、この先端部被覆部材４４の透孔４４ａ及び前記基端部被覆部材４３の透孔４３ａ内に配置され、摺動自在に配置される先端部被覆部材４４を基端部被覆部材４３の先端側に付勢する付勢部材であるコイルスプリング４５とで主に構成されている。
【００１７】
前記内視鏡固定部材４２の先端面には前記コイルスプリング４５の一端側が配置されるスプリング配置凹部４２ｂが形成され、他端側には把持部２３の先端部が配置される先端部配置凹部４２ｃが形成されている。そして、前記スプリング４５の他端側は前記先端部被覆部材４４の透孔４４ａに形成されている段部４４ｃに配置されるようになっている。
【００１８】
前記基端部被覆部材４３の透孔４３ａ内に配置される先端部被覆部材４４の基端部には、この基端部被覆部材４３の透孔４３ａに形成されている段部４３ｃに当接して、前記先端部被覆部材４４が透孔４３ａから脱落するのを防止するフランジ形状の凸部４４ｄが形成されている。
【００１９】
前記基端部構成部材４１と前記基端部被覆部材４３とは例えば基端部被覆部材４３の基端側内周面に形成した雌ネジ部４３ｄと前記基端部構成部材４１の外周面に形成した雄ネジ部４１ｂとを螺合することにより一体的に固定されるようになっており、必要に応じて接着固定して着脱を行えない構成にすることもある。
【００２０】
前記基端凹部４３ｂの深さ寸法ｄと前記内視鏡固定部材４２の厚み寸法ｔとの間には、前記内視鏡固定部材４２が前記基端部被覆部材４３に対して回動するように深さｄが厚みｔよりわずかに大きく設定してある。
【００２１】
そして、前記挿入部保護部材４は、前記基端部被覆部材４３の透孔４３ａ内に先端部被覆部材４４を配置した後、この先端部被覆部材４４の透孔４４ａ及び基端部被覆部材４３の透孔４３ａ内にコイルスプリング４５及び内視鏡固定部材４２を配置した状態で、前記基端部被覆部材４３と基端部構成部材４１とを一体的に螺合固定して図１に示した挿入部保護部材４として形成される。
【００２２】
なお、図１中に示す凸部４４ｄ基端面から内視鏡固定部材４２先端面までのＬ寸法が前記先端部被覆部材４４の移動距離であり、先端部被覆部材４４が基端部被覆部材４３の透孔４３ａ内を後退するにしたがって、挿入部２１が寸法Ｌだけ徐々に露出する構成になっている。そして、この寸法Ｌは、観察対象部位の深さ寸法より小さく設定されており、このことにより挿入部２１の先端が観察対象部位の底部に当接することを防止している。
【００２３】
図３に示すように前記挿入部導入部材５は、細径部５１と太径部５２とで構成された断面形状が略凸字形状であり、中心部には前記挿入部２１が挿通する挿入部案内用透孔５３が形成されている。
前記挿入部導入部材５の細径部５１には前記固定用ネジ６が螺合する雌ネジ５４が形成されており、この細径部５１を前記先端部被覆部材４４の先端凹部４４ｂには配置して固定用ネジ６を雌ネジ５４に螺合させることによって、この先端部被覆部材４４に前記挿入部導入部材５が一体的に固定される。
【００２４】
前記挿入部案内用透孔５３の孔径寸法は、前記挿入部２１の外形寸法に対して所定のはめあい寸法で形成されており、この挿入部案内用透孔５３の先端側及び基端側には前記挿入部２１をスムーズに挿入部案内用透孔５３に導入する一方、この挿入部案内用透孔５３からスムーズに突出させるためのテーパー部５３ａ，５３ｂが形成されている。
【００２５】
前記挿入部導入部材５の太径部５２の先端面からは観察対象の形状や深さ寸法に合致する径寸法、突出量に設定した案内部となる例えば２本のガイドピン５５ａ，５５ｂが突設している。
【００２６】
なお、符号５２ａは観察対象との位置関係を目視にて確認するための配置位置確認部となる切欠部であり、この切欠部５２ａの位置を挿入部導入部材５の上方向と定義している。このことにより、観察対象の上方向に対して切欠部５２ａを配置した状態で、観察対象の所定位置にガイドピン５５ａ，５５ｂを挿入配置することにより、前記挿入部２１が導入される孔、或いは溝等の観察対象部位と前記挿入部導入部材５に形成されている挿入部案内用透孔５３とが対向した位置関係になるようになっている。また、符号５２ｂは挿入部導入部材５の先端面を観察対象に密接させるための逃がし穴であり、必要に応じて所定の形状に形成されるものであり、形成しない場合もある。
【００２７】
図４に示すように前記ライトガイド口金２４には外周面に雄ネジを形成した雄ネジ部２４ａが設けられており、この雄ネジと、前記接続部３１の接続口金３４の外周側に回動自在に設けられている接続ソケット３５の内周面に形成されている雌ネジとを螺合させることによって、バッテリ型光源３を硬性鏡２に一体的に連結固定することができるようになっている。
【００２８】
そして、硬性鏡２にバッテリ型光源３を連結固定するとき、ライトガイド口金２４の接続環２４ｂに設けられている指標２４ｃとバッテリ型光源３に設けられている指標３ａとを一致させて、上述したようにライトガイド口金２４に接続部３１を螺合する。
【００２９】
すると、バッテリ型光源３に設けられている位置決めピン３４ａがライトガイド口金２４の接続環２４ｂに設けられているピン受け部２４ｄに係入する。このことによって、硬性鏡２とバッテリ型光源３とが常に一定な位置関係で位置決め固定される。この実線に示す位置関係のとき、バッテリ型光源３はランプ３２が点灯しないオフ状態であり、点線に示すようにバッテリ収容部３６が９０度回転した位置に回転配置させることによってオン状態になってランプ３２が点灯する。
【００３０】
なお、符号３７はランプ収容部である。符号３８はバッテリキャップであり、このバッテリキャップ３８を取り外すことによってバッテリの交換を行える。また、符号３９はランプキャップであり、このランプキャップ３９を取りはずすことによってランプの交換を行える。
【００３１】
上述のように構成される内視鏡装置１の作用を説明する。
具体的な使用形態として、ドアに取り付けられている錠前６０の鍵穴６１内面の傷の有無を観察する検査について説明する。
【００３２】
まず、図５に示されている鍵穴６１の観察対象部位である対象キー溝部６２に破線に示すように硬性鏡２の挿入部２１を挿通配置させるため、前記挿入部保護部材４を構成する先端部被覆部材４４の先端凹部４４ｂに、前記対象キー溝部６２に挿入部案内用透孔５３が対向するようにキー溝端部６２ａ，６２ｂに配置されるガイドピン５５ａ，５５ｂを突設させた挿入部導入部材５を配置し、固定用ネジ６を雌ネジ５４に螺合して一体に組み付ける。
【００３３】
次に、前記挿入部導入部材５を配置した挿入部保護部材４を前記挿入部２１に被せ、前記挿入部保護部材４の内視鏡固定部材４２に形成されている雌ネジ部４２ａと、硬性鏡２の雄ネジ部２５とを螺合して、挿入部保護部材４を硬性鏡２に一体的に固定する。一方、硬性鏡２のライトガイド口金２４にバッテリ型光源３の接続部３１を組みつけて、図６に示す内視鏡装置１を構成する。そして、ランプ３２を点灯状態にする。
【００３４】
次いで、錠前６０の上方向と、挿入部導入部材５の太径部５２に形成されている切欠部５２ａとの方向を一致させ、図７（ａ）に示すように挿入部導入部材５の先端面から突出しているガイドピン５５ａ，５５ｂを鍵穴６１を形成するキー溝端部６２ａ，６２ｂに挿入配置し、この挿入部導入部材５の先端面を錠前６０の正面部に密着させる。
【００３５】
このことによって、挿入部保護部材４が鍵穴６１の正面部に対して直交した位置関係で配置されることにより、挿入部案内用透孔５３が観察対象である鍵穴６１の対象キー溝部６２に対向する。
【００３６】
ここで、検査者は、接眼部２２に目を近づけた観察状態で、把持部２３を錠前６０方向に押しこんでいく。すると、図７（ｂ）に示すようにコイルスプリング４５の付勢力に抗して先端部被覆部材４４と基端部被覆部材４３との間隔Ｌ1 が徐々に狭くなるように基端部被覆部材４３が移動していく。このことにより、挿入部導入部材５の先端面から挿入部２１が突出していく。そして、挿入部２１が徐々に対象キー溝部６２の周囲に接触することなく奥深くまで侵入していく。この挿入部２１が徐々に鍵穴６１の奥方向に進むことにより、鍵穴６１内面の傷の有無の検査を行える。
【００３７】
このとき、挿入部保護部材４を保持した状態にして、把持部２３を時計方向或いは反時計方向に回動操作することによって、前記挿入部２１が前記対象キー溝部６２内で回動動作する。このことによって、検査者は回動範囲周囲の鍵穴６１内面の観察を行える。
【００３８】
そして、図７（ｃ）に示すように前記先端部被覆部材４４の凸部４４ｄ基端面が内視鏡固定部材４２の先端面に当接することによって、対象キー溝部６２の一番奥まで挿入部２１の先端部に到達したことがわかるようになっている。
【００３９】
なお、把持部２３を錠前６０方向に押しこんでいた力を徐々に弱めることにより、前記コイルスプリング４５の付勢力によって先端部被覆部材４４と基端部被覆部材４３との間隔Ｌ1 が徐々に広がって、最終的に挿入部２１が挿入部保護部材４によって覆われた元の状態に戻るようになっている。
【００４０】
このように、観察対象の所定位置に配置するように構成したガイドピンを設けて挿入部導入部材を構成したことによって、ガイドピンを観察対象の所定位置に配置して挿入部導入部材の先端面を観察対象に密接させることによって、挿入部導入部材に形成されている挿入部が突出する挿入部案内用透孔が観察対象部位にに対向配置させることができる。
【００４１】
また、基端部被覆部材に対して摺動自在に先端部被覆部材を設けて挿入部を被覆する挿入部保護部材を形成し、先端部被覆部材の先端部に挿入部導入部材を配置したことにより、ガイドピンを観察対象の所定位置に配置させた状態で、把持部を観察対象方向に押し込み操作することによって、挿入部が先端部被覆部材から突出して観察対象部位の周囲に接触することなくスムーズに奥深くまで挿入させて観察を行うことができる。
【００４２】
さらに、バッテリ型光源を硬性鏡に取り付けて内視鏡装置を構成することによって、場所を選ばず何処ででも観察や検査を行うことができる。
【００４３】
このことから、挿入部導入部材の先端面を観察対象に密接させた状態にして、把持部を操作して観察を行うことによって、熟練技術を必要することなく誰でも容易に観察、検査を行える。
【００４４】
また、基端部被覆部材を把持固定した状態で、把持部を回動操作することによって、挿入部に設けられた観察光学系を観察状態で回動動作させて内周面周囲の観察を広範囲に行うことができる。
【００４５】
さらに、検査者が把持部を観察対象方向に万一、押し込みすぎてしまった場合でも、挿入部の突出量を先端部被覆部材の移動距離を予め設定しておくことにより、挿入部の先端が奥部に当接して、挿入部が変形したり折れることを防止することができる。
【００４６】
なお、図８（ａ）に示すようにガイドピン５５ａ５５ｂの先端面からの突出量は、観察対象に合わせて設定されるので、突出量が異なる場合がある。また、ガイドピンの数や構成は、観察対象の形状等によって異なるものであり、例えば図８（ｂ）に示すように３本のガイドピン５５ａ，５５ｂ，５５ｃを設けたり、図８（ｃ）に示すように径寸法の異なるガイドピン５５ｄ，５５ｅを設けたり、図８（ｄ）に示すように例えば各形状のガイド５５ｆ，５５ｇを設けるようにしてもよい。
【００４７】
また、本実施形態においては、側部の先端側を観察する斜視型の硬性鏡について構成及び作用を説明したが、硬性鏡は、斜視型に限定されるものではなく、直視型や、側視型等各種観察範囲を有する硬性鏡にも適用可能である。さらに、前記光源としては、本実施形態で用いたランプの代わりに白色ＬＥＤを使用する構成であってもよい。
【００４８】
尚、本発明は、以上述べた実施形態のみに限定されるものではなく、発明の要旨を逸脱しない範囲で種々変形実施可能である。
【００４９】
［付記］
以上詳述したような本発明の上記実施形態によれば、以下の如き構成を得ることができる。
【００５０】
（１）照明光を導光する照明光学系及び照明光によって照らされた観察部位の観察像を接眼部に伝送する観察光学系を備える細径で硬性な挿入部を有する硬性鏡と、
少なくとも前記挿入部の基端部側を覆う基端部被覆部材及び挿入部の先端部側を覆う先端部被覆部材とで構成され、この先端部被覆部材が前記基端部被覆部材に対して進退自在な挿入部保護部材と、
前記先端部被覆部材の先端部に着脱自在で、複数の案内部を有し、前記挿入部を観察対象に導く挿入部導入部材と、
前記硬性鏡に着脱自在で、前記照明光学系の光入射端部に照明光を供給する光源を有するバッテリ型光源と、
を具備する内視鏡装置。
【００５１】
（２）前記硬性鏡の挿入部は、前記挿入部保護部材に対して回動自在である付記１記載の内視鏡装置。
【００５２】
（３）前記挿入部保護部材に、前記先端部被覆部材を先端方向に付勢する付勢部材を設けた付記１記載の内視鏡装置。
【００５３】
（４）前記挿入部導入部材に配置される案内部の形状又は数は、観察対象の形状によって異なる付記１記載の内視鏡装置。
【００５４】
（５）前記挿入部導入部材は、観察対象と案内部との位置関係を所定位置に設定する配置位置確認部を有する付記４記載の内視鏡装置。
【００５５】
（６）前記光源は、ランプである付記１記載の内視鏡装置。
【００５６】
（７）前記光源は、白色ＬＥＤである付記１記載の内視鏡装置。
【００５７】
【発明の効果】
以上説明したように本発明によれば、熟練技術を要することなく、内視鏡挿入部を観察対象部位に導いて検査を行えるとともに、取り扱いが容易であり、検査性に優れ、しかも挿入部の変形や折れを確実に防止できる効果がある。
【図面の簡単な説明】
【図１】図１ないし図８は本発明の一実施形態に係り、図１は内視鏡装置の概略構成を説明する図
【図２】挿入部保護部材の構成を説明する図
【図３】挿入部導入部材を説明する図
【図４】バッテリ型光源の硬性鏡への取付け構成を説明する図
【図５】鍵穴に配置される挿入部とガイドピンとの関係を説明する図
【図６】組み付け状態の内視鏡装置を示す図
【図７】内視鏡装置の作用を説明する図
【図８】挿入部導入部材の他の構成例を示す図
【符号の説明】
１…内視鏡装置
２…硬性鏡
３…バッテリ型光源
４…挿入部保護部材
５…挿入部導入部材
５１ａ，５１ｂ…ガイドピン
２１…挿入部
２５…雄ネジ部
４２…内視鏡固定部材
４２ａ…雌ネジ部
４３…基端部被覆部材
４４…先端部被覆部材
４５…コイルスプリング
代理人  弁理士    伊藤  進
【図１】
0003668396.tif 000002
【図２】
0003668396.tif 000003
【図３】
0003668396.tif 000004
【図４】
0003668396.tif 000005
【図５】
0003668396.tif 000006
【図６】
0003668396.tif 000007
【図７】
0003668396.tif 000008
【図８】
0003668396.tif 000009